(57)【要約】      （修正有）【課題】剛性の低い薄い紙であっても、真っ直ぐに立たせることを可能にするシート材ホルダーを提供する。【解決手段】シート材ホルダーの表面１２０に、湾曲させたシート材１３０が差し込めるように円弧状のスリット１２１を形成する。シート材を円弧状に湾曲させることにより、シート材全体の剛性が高まり、撓んだり屈曲したりすることがなくなる。【選択図】図１
0003186289.tif 000002
【実用新案登録請求の範囲】
【請求項１】
上下方向に延びる一対の支持壁と、
前記支持壁の各々の上端において支持され、横方向に延びる表面と、
からなるシート材ホルダーであって、
前記表面には、シート材が横方向において湾曲するように収納可能なスリットが形成されていることを特徴とするシート材ホルダー。
【請求項２】
底部と、前記底部の対向する２辺から上方に延びる側壁とを含むトレイの前記側壁間に跨がって前記側壁上に載置可能であることを特徴とする請求項１に記載のシート材ホルダー。
【請求項３】
他の物品に係合可能な少なくとも一つのフックが形成されていることを特徴とする請求項１に記載のシート材ホルダー。
【請求項４】
前記スリットは横方向において湾曲する曲線状であることを特徴とする請求項１乃至３の何れか一項に記載のシート材ホルダー。
【請求項５】
前記スリットの形状は円、楕円及び多角形の少なくとも何れか一つであることを特徴とする請求項１乃至３の何れか一項に記載のシート材ホルダー。
【請求項６】
上下方向に延びる一対の支持壁と、
前記支持壁の各々の上端において支持され、横方向に延びる表面と、
からなるシート材ホルダーであって、
前記表面には、シート材を収納可能なスリットが形成されており、
前記支持壁の各々には前記スリットに連続する補助スリットが形成されていることを特徴とするシート材ホルダー。
【考案の詳細な説明】
【技術分野】
【０００１】
本考案は短冊シート状の物品を立てて保持しておくシート材ホルダーに関する。
【背景技術】
【０００２】
この種のシート材ホルダーとして特開２０００−１３０９４５号公報に記載されたものがある。
【０００３】
図５（Ａ）は同公報に記載されたシート材ホルダー１０を上方から見た場合の平面図、図５（Ｂ）は縦断面図である。
【０００４】
シート材ホルダー１０は、上方が開口している箱状の受け皿８と、受け皿８上に支持されている天板９と、から構成されている。天板９には細長いスロット１１、１２、１３が形成されており、受け皿８の底面には鋸刃状の凹凸が形成されている。
【０００５】
スロット１１、１２、１３にシート状部材を差し込み、シート状部材の下端を凹凸の凹部１、２、３に位置させる。これにより、シート状部材を立てた状態で並べて保持することができる。
【０００６】
他のシート材ホルダーとして実開平５−３５７７３号公報に記載されたものがある。
【０００７】
図６は同公報に記載されたシート材ホルダー２０の斜視図である。
【０００８】
シート材ホルダー２０は、平板状の底面２と、底面２の両端４を両端とするアーチ状のスタンド本体１と、から構成されている。スタンド本体１には相互に平行に複数のスリット３が形成されている。
【０００９】
スリット３にシート状部材を差し入れることにより、シート状部材を立てた状態で並べて保持することができる。
【先行技術文献】
【特許文献】
【００１０】
【特許文献１】特開２０００−１３０９４５号公報
【特許文献２】実開平５−３５７７３号公報
【考案の開示】
【考案が解決しようとする課題】
【００１１】
上述のシート材ホルダー１０及び２０を用いれば、名刺や葉書などのように、比較的厚く、それ単体では撓んだり、屈曲したりしないような紙類であれば、立てた状態を維持して、並べておくことが可能である。
【００１２】
しかしながら、コピー用紙などの薄い紙をスロット１１、１２、１３またはスリット３に立て掛けると、薄い紙は剛性が低いために、スロット１１、１２、１３またはスリット３の上方において、途中で撓んだり、屈曲したりして、真っ直ぐに立たせることができない。
【００１３】
本考案はこのような従来のシート材ホルダーにおける問題点に鑑みてなされたものであり、剛性の低い薄い紙であっても、真っ直ぐに立たせることを可能にするシート材ホルダーを提供することを目的とする。
【課題を解決するための手段】
【００１４】
上記の目的を達成するため、本考案は、上下方向に延びる一対の支持壁と、前記支持壁の各々の上端において支持され、横方向に延びる表面と、からなるシート材ホルダーであって、前記表面には、シート材が横方向において湾曲するように収納可能なスリットが形成されていることを特徴とするシート材ホルダーを提供する。
【００１５】
上記シート材ホルダーは、底部と、前記底部の対向する２辺から上方に延びる側壁とを含むトレイの前記側壁間に跨がって前記側壁上に載置可能であることが好ましい。
【００１６】
上記シート材ホルダーには、他の物品に係合可能な少なくとも一つのフックが形成されていることが好ましい。
【００１７】
前記スリットは、例えば、横方向において湾曲する曲線状とすることができる。
【００１８】
あるいは、前記スリットの形状は円、楕円及び多角形の少なくとも何れか一つとすることができる。
【００１９】
本考案は、さらに、上下方向に延びる一対の支持壁と、前記支持壁の各々の上端において支持され、横方向に延びる表面と、からなるシート材ホルダーであって、前記表面には、シート材を収納可能なスリットが形成されており、前記支持壁の各々には前記スリットに連続する補助スリットが形成されていることを特徴とするシート材ホルダーを提供する。
【考案の効果】
【００２０】
シート材ホルダーの表面には、シート材が横方向において湾曲するように収納可能なスリットが形成されている。このため、シート材をスリットに差し込むと、スリットの内部において、シート材を円弧状に湾曲させることが可能である。シート材が平面状のままであれば、撓んだり屈曲したりしやすいが、シート材を円弧状に湾曲させることにより、シート材全体の剛性が高まり、撓んだり屈曲したりすることがなくなる。
【００２１】
このように、本考案に係るシート材ホルダーによれば、シート材が薄い紙からなるものである場合にも、シート材が撓んだり、あるいは、屈曲することなく、シート材を上下方向に真っ直ぐに立たせることが可能である。
【図面の簡単な説明】
【００２２】
【図１】本考案の第一の実施形態に係るシート材ホルダーの斜視図である。
【図２】本考案の第二の実施形態に係るシート材ホルダーを上方から見た場合の平面図である。
【図３】本考案の第三の実施形態に係るシート材ホルダーの使用状態を示す斜視図である。
【図４】本考案の第四の実施形態に係るシート材ホルダーの使用状態を示す斜視図である。
【図５】本考案の第五の実施形態に係るシート材ホルダーの斜視図である。
【図６】図６（Ａ）は第一の従来例のシート材ホルダーを上方から見た場合の平面図、図６（Ｂ）は縦断面図である。
【図７】第二の従来例のシート材ホルダーの斜視図である。
【考案を実施するための形態】
【００２３】
（第一の実施形態）
図１は本考案の第一の実施形態に係るシート材ホルダー１００の斜視図である。
【００２４】
本実施形態に係るシート材ホルダー１００は、上下方向に対向して延びる一対の支持壁１１０と、各支持壁１１０の上端において支持壁１１０に接続し、横方向（水平方向）に延びる表面１２０と、から構成されている。
【００２５】
表面１２０には、水平面内において円弧状に湾曲している曲線状の３個のスリット１２１が表面１２０の長さ方向に湾曲方向を同一にして並んで形成されている。
【００２６】
シート材１３０（図１においては破線で示す）をスリット１２１に差し込むと、スリット１２１の形状に合わせて、シート材１３０も円弧状に湾曲する。
【００２７】
シート材１３０が平面状のままであれば、撓んだり屈曲したりしやすいが、シート材１３０を円弧状に湾曲させることにより、シート材１３０全体の剛性が高まり、撓んだり屈曲したりすることがなくなる。
【００２８】
このように、本実施形態に係るシート材ホルダー１００によれば、シート材１３０が薄い紙からなるものである場合にも、シート材１３０が撓んだり、あるいは、屈曲することなく、シート材１３０を上下方向に真っ直ぐに立たせることが可能である。
【００２９】
（第二の実施形態）
図２は本考案の第二の実施形態に係るシート材ホルダー２００を上方から見た場合の平面図である。
【００３０】
本実施形態に係るシート材ホルダー２００は、上述の第一の実施形態に係るシート材ホルダー１００と比較して、スリットの形状が異なっている。
【００３１】
第一の実施形態における円弧状のスリット１２１に代えて、例えば、図２に示すように、円形状のスリット２１０を形成することも可能である。
【００３２】
円形状のスリット２１０の周縁に沿ってシート材１３０を差し込むことにより、シート材１３０は円弧状に湾曲するため、第一の実施形態の場合と同様に、シート材１３０が薄い紙からなるものである場合にも、シート材１３０が撓んだり、あるいは、屈曲することなく、シート材１３０を上下方向に真っ直ぐに立たせることが可能である。
【００３３】
あるいは、三角形状のスリット２２０を形成することも可能である。
【００３４】
三角形状のスリット２２０にシート材１３０を差し込むと、シート材１３０は三角形の３辺のうちの少なくとも２辺に接触し、円弧状に湾曲する。このため、第一の実施形態の場合と同様に、シート材１３０が薄い紙からなるものである場合にも、シート材１３０が撓んだり、あるいは、屈曲することなく、シート材１３０を上下方向に真っ直ぐに立たせることが可能である。
【００３５】
あるいは、六角形状のスリット２３０を形成することも可能である。
【００３６】
六角形状のスリット２３０にシート材１３０を差し込むと、シート材１３０は六角形の６辺のうちの少なくとも２辺（図２の場合は４辺）に接触し、円弧状に湾曲する。このため、第一の実施形態の場合と同様に、シート材１３０が薄い紙からなるものである場合にも、シート材１３０が撓んだり、あるいは、屈曲することなく、シート材１３０を上下方向に真っ直ぐに立たせることが可能である。
【００３７】
以上の例から明らかであるように、スリットの形状は、シート材１３０が水平面内において円弧状に湾曲するような形状であればよく、第一及び第二の実施形態において示した形状には限定されない。
【００３８】
スリットの形状としては、第一及び第二の実施形態において示した形状の他に、例えば、楕円形、多角形、直線及び曲線の一方または双方を組み合わせた形状などを選定することができる。
【００３９】
表面１２０に形成されるスリットは全て同一である必要はなく、各スリットがそれぞれ異なる形状であってもよい。
【００４０】
（第三の実施形態）
図３は本考案の第三の実施形態に係るシート材ホルダー３００の使用状態を示す斜視図である。
【００４１】
本実施形態に係るシート材ホルダー３００は、例えば、書類トレイ３１０上に乗せた状態で使用することも可能である。
【００４２】
例えば、図３に示すように、底部３１１と、底部３１１の対向する２辺から上方に延びる側壁３１２とを含む書類トレイ３１０がある場合、第一の実施形態に係るシート材ホルダー１００と同様の構造を有する本実施形態に係るシート材ホルダー３００を、書類トレイ３１０の側壁３１２間に跨がって側壁３１２上に載置可能であるように形成する。
【００４３】
第一及び第二の実施形態に係るシート材ホルダー１００、２００はそれ単体で使用するものであるのに対して、本実施形態に係るシート材ホルダー３００は他の物品（本実施形態においては書類トレイ３１０）とともに併用することができる。
【００４４】
（第四の実施形態）
図４は本考案の第四の実施形態に係るシート材ホルダー４００の使用状態を示す斜視図である。
【００４５】
本実施形態に係るシート材ホルダー４００には、側縁において、Ｌ字型のフック４１０が取り付けられており、フック４１０を介して書類トレイ３１０の側壁３１１にシート材ホルダー４００を引っ掛けることができるようになっている。
【００４６】
第三の実施形態に係るシート材ホルダー３００は書類トレイ３１０上に載置して使用されるものであるのに対して、本実施形態に係るシート材ホルダー４００はフック４１０を設けることにより、書類トレイ３１０に隣接させて使用することが可能である。
【００４７】
（第五の実施形態）
図５は本考案の第一の実施形態に係るシート材ホルダー５００の斜視図である。
【００４８】
本実施形態に係るシート材ホルダー５００は、上下方向に対向して延びる一対の支持壁５１０と、各支持壁５１０の上端において支持壁５１０に接続し、横方向（水平方向）に延びる表面５２０と、から構成されている。
【００４９】
表面５２０には、表面５２０の幅方向に延びる直線状の複数個のスリット５２１が表面５２０の長さ方向に並んで形成されている。
【００５０】
さらに、各支持壁５１０には、各スリット５２１と連続して補助スリット５１１が上下方向に形成されている。
【００５１】
シート材１３０をスリット５２１に差し込むと、シート材１３０は補助スリット５１１に到達するので、シート材１３０を撓ませることなく、スリット５２１及び補助スリット５１１内に収容することが可能である。
【符号の説明】
【００５２】
１００  本考案の第一の実施形態に係るシート材ホルダー
１１０  支持壁
１２０  表面
１２１  スリット
１３０  シート材
２００  本考案の第二の実施形態に係るシート材ホルダー
２１０、２２０、２３０  スリット
３００  本考案の第三の実施形態に係るシート材ホルダー
３１０  書類トレイ
４００  本考案の第四の実施形態に係るシート材ホルダー
４１０  フック
５００  本考案の第五の実施形態に係るシート材ホルダー
【図１】
0003186289.tif 000003
【図２】
0003186289.tif 000004
【図３】
0003186289.tif 000005
【図４】
0003186289.tif 000006
【図５】
0003186289.tif 000007
【図６】
0003186289.tif 000008
【図７】
0003186289.tif 000009